(57)【要約】【課題】    手荷物の持ち手などの被巻付け部に巻き付け可能なバンド本体から引換券となる切離し片を切り離す際にその作業をより簡便に行うことができる情報表示バンドおよびその使用方法を提供する。【解決手段】    長尺帯状のバンド基材１１と、このバンド基材１１の表面側に識別情報１７を表示可能な感熱発色剤層１５を形成するとともに、このバンド基材１１の裏面側に自着接着剤層１６を形成し、手荷物の持ち手などの被巻付け部Ｗにループ状に巻付け可能な情報表示バンドであって、この情報表示バンドは、その短辺方向に形成する切断用ミシン目１２により、バンド本体１３と切離し片１４とに切り離し可能に連接し、切離し片１４には、これを２つ折り可能とする折り目線２１を形成している。【選択図】図４
2015001606.tif 000002
【特許請求の範囲】
【請求項１】
長尺帯状のバンド基材と、
このバンド基材の表面側に識別情報を表示可能な感熱発色剤層を形成するとともに、このバンド基材の裏面側に自着接着剤層を形成し、手荷物の持ち手などの被巻付け部にループ状に巻付け可能な情報表示バンドであって、
この情報表示バンドは、その短辺方向に形成する切断用ミシン目により、バンド本体と切離し片とに切り離し可能に連接し、
前記切離し片には、これを２つ折り可能とする折り目線を形成していることを特徴とする情報表示バンド。
【請求項２】
前記バンド本体および前記切離し片には、同一の内容の識別情報をそれぞれ表示していることを特徴とする請求項１記載の情報表示バンド。
【請求項３】
前記切離し片には、第１の情報表示部および第２の情報表示部を有していることを特徴とする請求項１記載の情報表示バンド。
【請求項４】
前記第１の情報表示部および前記第２の情報表示部は、前記折り目線を介して線対称な形状であることを特徴とする請求項１また３記載の情報表示バンド。
【請求項５】
前記第１の情報表示部および前記第２の情報表示部の少なくとも一方に、付加価値情報が表示されていることを特徴とする請求項３または４記載の情報表示バンド。
【請求項６】
前記バンド本体の裏面側におけるその中央領域には、前記自着接着剤層による一対の両端部側貼付け領域を残して非接着性領域を設けていることを特徴とする請求項１記載の情報表示バンド。
【請求項７】
前記非接着性領域は、前記自着接着剤層に接着剤不活性剤層を積層することにより、これを形成していることを特徴とする請求項６または７記載の情報表示バンド。
【請求項８】
前記非接着性領域は、前記自着接着剤層を設けないことにより、これを形成していることを特徴とする請求項６ないし８記載の情報表示バンド。
【請求項９】
前記バンド本体には、その一端部に破断用切込みが形成されていることを特徴とする請求項１記載の情報表示バンド。
【請求項１０】
前記情報表示バンドは、手首や足首などの被巻付け部にループ状に巻き付け可能なリストバンドであることを特徴とする請求項１ないし請求項１１の情報表示バンド。
【請求項１１】
長尺帯状のバンド基材と、
このバンド基材の表面側に識別情報を表示可能な感熱発色剤層と、
このバンド基材の裏面側に形成する自着接着剤層と、を有し、
前記バンド基材は、
これを短辺方向に形成し、前記バンド基材をバンド本体および切離し片と、に切り離し可能に連接する切断用ミシン目と、
前記切離し片を２つ折り可能な折り目線と、を有する情報表示バンドの使用方法であって、
前記バンド本体および前記切離し片の感熱発色剤層に識別情報をそれぞれ表示した後に、前記折り目線により前記切離し片を２つ折りにして自着接着剤層どうしを互いに貼り合わせて一体にする作業と、
前記バンド本体の一端部と他端部の自着接着剤層どうしを互いに貼り合わせてループを形成することにより、手荷物の持ち手などの被巻付け部に巻き付ける作業と、
前記切断用ミシン目により前記バンド本体から切離し片を切り離す作業と、を含むことを特徴とする情報表示バンドの使用方法。
【発明の詳細な説明】
【技術分野】
【０００１】
本発明は、例えば、手荷物の持ち手などの被巻付け部に巻き付けて手荷物を識別管理する手荷物用バンドや、手首や足首などの被巻付け部に巻き付けて入場券や参加証として使用するリストバンドのような情報表示バンドおよびその使用方法に関する。
【背景技術】
【０００２】
従来から、ホテルのクロークや空港の手荷物受け渡しカウンターなどでは、利用者の手荷物を正確に識別する手荷物用バンドが使用されている。コンサート会場や遊園地などにおいても、入場者であることを証明するリストバンドが使用されている。これらは、いずれも利用者および入場者を識別管理する識別情報を表示可能な情報表示バンドである。
【０００３】
従来の情報表示バンド１１０の一例として、手荷物用バンドにより説明する。図１０は、従来の情報表示バンド１１０を表面側（印字面側）から見た平面図である。図１１は、図１０のｃ−ｃ線断面図である。
手荷物用バンドである情報表示バンド１１０は、紙やフィルムなどで構成された長尺帯状のバンド基材１１１と、このバンド基材１１１の裏面側に設けた自着接着剤層１１６と、を有している。情報表示バンド１１０は、短辺方向と略平行に形成する切断用ミシン目１１２により、バンド基材１１１をバンド本体１１３と、切離し片１１４と、に切り離し可能に区画している。
【０００４】
自着接着剤層１１６を構成する自着接着剤は、その面どうしを接触加圧すれば互いに強固に接着する一方、自着接着剤を他の部材に押し付けても接着しにくい特性を有している。この自着接着剤層１１６面どうしを接触加圧させると、互いに強固に接着して手荷物の持ち手にループ状に巻き付けることができる。
【０００５】
バンド本体１１３および切離し片１１４のバンド基材１１１の表面には、電子プリンタ（不図示）により、利用者を識別管理するための文字やバーコードなどの識別情報１１７が印字されている。
この識別情報１１７は、バンド本体１１３および切離し片１１４に同一の内容をそれぞれ表示して、バンド本体１１３と切離し片１１４との情報を紐付ける役目を果たしている。
【０００６】
バンド本体１１３および切離し片１１４に識別情報１１７をそれぞれ印字した情報表示バンド１１０は、バンド本体１１３と切離し片１１４とが繋がった状態のまま手荷物の持ち手に通され、バンド本体１１３の一端部と他端部の裏面側（自着接着剤層１１６面）どうしを互いに貼り合わせてループを形成することにより、手荷物の持ち手に巻き付ける。手荷物の持ち手に巻き付け後に、情報表示バンド１１０は、切断用ミシン目１１２により、バンド本体１１３から切離し片１１４が切り離される。
【０００７】
バンド本体１１３は、手荷物とともにクロークや手荷物預かり所などに一時的に預けられる。一方で、バンド本体１１３から切り離された切離し片１１４は利用者に手渡され、手荷物を引き取るまで引換券として保管される。
【０００８】
しかし、引換券として保管される切離し片１１４は、自着接着剤層１１６が剥き出した状態になっている。自着接着剤層１１６の自着接着剤は、他の部材に対して接着性はないものの多少のべた付きがあるために、剥き出し状態になっていると不快感を持たれることもある。
また、バンド本体１１３から切離し片１１４を切り離す際、切離し片１１４は薄くて腰が弱いために、切断用ミシン目１１２だけでは切り離しにくいという不便さがあった。
クロークや手荷物預かり所などに手荷物を預けた利用者にとっては、手荷物を引き取るまで引換券となる切離し片１１４を紛失しないように管理する必要があるが、例えば、利用者のズボンのポケットなどに入れて持ち歩く場合、切離し片１１４自体が薄片であるために、折れ曲がったり損傷したりして識別情報１１７を読み取れなくなる恐れがある。
特に、識別情報１１７がバーコードである場合は、スキャナーでの読み取りが困難となってしまう。
さらに、切離し片１１４は、小片であるために紛失することもあった。
【先行技術文献】
【特許文献】
【０００９】
【特許文献１】特開平７−５６５１３号公報
【発明の概要】
【発明が解決しようとする課題】
【００１０】
本発明は、以上のような問題に鑑みてなされたもので、バンド本体から切離し片を切り離す際にその作業をより簡便に行うことができるようにした情報表示バンドを提供することを課題とする。
また本発明は、引換券である切離し片が折れ曲がりにくく、かつ損傷しにくい情報表示バンドを提供することを課題とする。
さらに本発明は、手荷物の持ち手などの被巻付け部に巻き付ける際に、その作業を容易にする情報表示バンドを提供することを課題とする。
【課題を解決するための手段】
【００１１】
以上の課題を解決するため、本発明の情報表示バンドは、バンド基材の表面側に感熱発色剤層を設けて、サーマル印字を可能とすること、およびバンド基材の裏面側には自着接着剤層を設けることに着目したもので、長尺帯状のバンド基材と、このバンド基材の表面側に識別情報を表示可能な感熱発色剤層を形成するとともに、このバンド基材の裏面側に自着接着剤層を形成し、手荷物の持ち手などの被巻付け部にループ状に巻付け可能な情報表示バンドであって、この情報表示バンドは、その短辺方向に形成する切断用ミシン目により、バンド本体と切離し片とに切り離し可能に連接し、切離し片には、これを２つ折り可能とする折り目線を形成している。
また、本発明の情報表示バンドの使用方法は、長尺帯状のバンド基材と、このバンド基材の表面側に識別情報を表示可能な感熱発色剤層と、このバンド基材の裏面側に形成する自着接着剤層と、を有し、バンド基材は、これを短辺方向に形成し、バンド基材をバンド本体および切離し片と、に切り離し可能に連接する切断用ミシン目と、切離し片を２つ折り可能な折り目線と、を有する情報表示バンドの使用方法であって、バンド本体および切離し片の感熱発色剤層に識別情報をそれぞれ表示した後に、折り目線により切離し片を２つ折りにして自着接着剤層どうしを互いに貼り合わせて一体にする作業と、バンド本体の一端部と他端部の自着接着剤層どうしを互いに貼り合わせてループを形成することにより、手荷物の持ち手などの被巻付け部に巻き付ける作業と、切断用ミシン目により前記バンド本体から切離し片を切り離す作業と、を含む。
さらに、バンド本体および切離し片には、同一の内容の識別情報をそれぞれ表示している。
切離し片には、第１の情報表示部および第２の情報表示部を有している。
第１の情報表示部および第２の情報表示部は、折り目線を介して線対称な形状であることが望ましい。
第１の情報表示部および第２の情報表示部の少なくとも一方に、付加価値情報が表示されている。
バンド本体の裏面側におけるその中央領域には、自着接着剤層による一対の両端部側貼付け領域を残して非接着性領域を設けている。
非接着性領域は、自着接着剤層に接着剤不活性剤層を積層することにより、これを形成している。
非接着性領域は、自着接着剤層を設けないことにより、これを形成している。
バンド本体には、その一端部に破断用切込みが形成されている。
情報表示バンドは、手首や足首などの被巻付け部にループ状に巻き付け可能なリストバンドである。
【発明の効果】
【００１２】
本発明の情報表示バンドおよびその使用方法は、切離し片が折り目線により２つ折りされ厚みを増して補強されるので、バンド本体から切離し片を切り離す際に、切断用ミシン目に力が集中し、切り離す作業が簡便になるという効果を奏する。
また本発明は、折り目線により切離し片を２つ折りにして厚みを持たせることで、保管時に折れ曲がりや損傷が防止できる。
さらに本発明は、切離し片を２つ折りしてから、手荷物の持ち手などの被巻付け部にバンド本体を巻き付けるので、先に２つ折りした切離し片が目安となってバンド本体の巻き付け作業が容易になるという効果を奏する。
【図面の簡単な説明】
【００１３】
【図１】本発明の第１の実施例による情報表示バンド１０を表面側から見た平面図。
【図２】同、図１のａ−ａ線断面図。
【図３】同、単葉の情報表示バンド１０を長手方向に複数連ねてロール状の情報表示バンド連続体３０を形成した斜視図。
【図４】同、識別情報１１７が印字された情報表示バンド１０を表面側から見た平面図。
【図５】同、図４のｂ−ｂ線断面図。
【図６】同、手荷物の持ち手などの被巻付け部Ｗに情報表示バンド１０を巻き付けた状態を説明するための概略側面図。
【図７】本発明の第２の実施例による情報表示バンド４０の断面図。
【図８】本発明の第３の実施例による情報表示バンド５０の断面図。
【図９】本発明の第４の実施例による情報表示バンド６０を表面側から見た平面図。
【図１０】従来の情報表示バンド１１０を表面側から見た平面図。
【図１１】同、図１０のｃ−ｃ線断面図。
【発明を実施するための形態】
【００１４】
以下、本発明の実施の形態について図面を用いて詳細に説明する。
【００１５】
（第１の実施例）
図１は、本発明の第１の実施例による情報表示バンド１０を表面側から見た平面図である。図２は、図１のａ―ａ線断面図である。
図１に示すように、情報表示バンド１０は、長尺帯状のバンド基材１１と、このバンド基材１１の表面側に設けた感熱発色剤層１５と、バンド基材１１の裏面側に設けた自着接着剤層１６と、を有している。
【００１６】
また、情報表示バンド１０は、その一端部近傍あるいは他端部近傍の部分のいずれかに短辺方向と平行に形成する切断用ミシン目１２により、バンド本体１３と、切離し片１４と、に切り離し可能に連接している。
【００１７】
バンド基材１１は、紙のほか、ＰＥＴフィルムやＰＰフィルムのような合成樹脂フィルムなどの任意の材料が使用可能である。求められる耐久性に応じて選択すればよい。
【００１８】
感熱発色剤層１５は、任意の感熱発色剤を塗工した層であって、電子プリンタ（不図示）で印字することにより、任意の印字パターンによる識別情報１７を表示可能である。
【００１９】
自着接着剤層１６の自着接着剤としては、天然ゴムラテックスおよびスチレン・アクリルニトリル共重合体水性エマルジョンを含む、たとえばサイデン化学株式会社のサイビノール加圧接着剤Ｅ、あるいは天然ゴムおよびスチレン・イソプレンスチレンブロック共重合体を含むエラストマーなどを用いることができる。
【００２０】
バンド本体１３は、手荷物の持ち手などの被巻付け部Ｗに巻き付け可能な長さを有している。バンド本体１３には、感熱発色剤層１５の上層側にラベル印刷機（不図示）などであらかじめ固定情報１８を印刷してある。
【００２１】
また、バンド本体１３には、この範囲内に複数の破断用切込み１９を設けている。
破断用切込み１９は、バンド本体１３の長手方向の少なくとも一方端に複数まとまって設けることが望ましい。破断用切込み１９は、略Ｕ字形状で、その両端を結ぶ線分はバンド基材１１の短辺方向に略平行である。破断用切込み１９の略Ｕ字形状の開放向きは、隣どうしが互い違い（１８０度回転した向き）に配置形成してある。
【００２２】
切離し片１４には、これを２つに折り曲げ可能な折り目線２１を、切断用ミシン目１２と平行に設けている。
【００２３】
折り目線２１は、切離し片１４を、第１の情報表示部２２と、第２の情報表示部２３と、に区画している。
折り目線２１は、本実施例では切断用ミシン目１２と同一構成のミシン目により形成されているが、これに限ることなく、スジ押し加工により折り目線を形成してもよい。
【００２４】
第１の情報表示部２２および第２の情報表示部２３は、折り目線２１を介して線対称な形状である。
第１の情報表示部２２および第２の情報表示部２３の少なくとも一方には、電子プリンタ（不図示）により、バンド本体１３に表示される識別情報１７と同一の内容の識別情報１７が印字されている。
もちろん、第１の情報表示部２２および第２の情報表示部２３の少なくとも一方には、バンド本体１３に表示される識別情報１７と異なる情報を印字してもよい。
具体的には、第１の情報表示部２２および第２の情報表示部２３のうち、識別情報１７を印字しない側においては、抽選や割引などに関する付加価値情報２４を表示し、クーポン券として利用可能である。
【００２５】
付加価値情報２４は、情報表示バンド１０の利用者に付加価値を提供し、顧客満足度を向上させることができるものであればよい。例えば、ホテルや空港などにあるレストランや売店の割引情報や新商品情報、景品プレゼント情報、広告情報など、情報の提供者が利用者にとって有益な情報である。
【００２６】
図３は、単葉の情報表示バンド１０を長手方向に複数連ねてロール状の情報表示バンド連続体３０を形成した斜視図である。
上記情報表示バンド１０を長手方向に複数連ねて形成し、その一端部を円筒形状の巻芯２５に固着させて巻回すると、図３に示すロール状の情報表示バンド連続体３０になる。このロール状の情報表示バンド連続体３０は、バンド基材１１の裏面側に設けられた自着接着剤層１６がロールの内周側に、バンド基材１１の表面側に設けられた感熱発色剤層１５がロールの外周側に位置する形態である。
【００２７】
本発明の情報表示バンド１０は、以下のようにして使用する。
【００２８】
図４は、識別情報１７が表示された情報表示バンド１０を表面側から見た平面図である。図５は、図４のｂ−ｂ線断面図である。図６は、手荷物の持ち手などの被巻付け部Ｗに情報表示バンド１０を巻き付けた状態を説明するための概略側面図である。
ロール状の情報表示バンド連続体３０（図３）は、電子プリンタ（不図示）の供給部に装填されて識別情報１７を印字する。ロール状の情報表示バンド連続体３０は、電子プリンタのサーマルヘッドの部分においてバンド本体１３と、切離し片１４の第１の情報表示部２２および第２の情報表示部２３のどちらか一方に同一の識別情報１７（たとえば文字や数字、あるいはバーコードなど）をそれぞれ印字する。第１の情報表示部２２および第２の情報表示部２３のうち、識別情報１７を印字しない側には抽選や割引などに関する付加価値情報２４が印字される。そして、情報表示バンド連続体３０は、各情報表示バンド１０間に形成する切断用ミシン目３１で切り離すことにより、単葉の情報表示バンド１０を得る（図４、図５、図６（１））。
【００２９】
この単葉の情報表示バンド１０は、折り目線２１により切離し片１４を２つ折りして自着接着剤層１６どうしを互いに貼り合わせる（図６（２））。
そして、情報表示バンド１０のバンド本体１３を手荷物の持ち手に掛け回し、バンド本体１３の両端部の裏面側に形成する自着接着剤層１６どうしを貼り合わせて手荷物の持ち手にループ状に巻き付ける（図６（３））。その際、切離し片１４は、手荷物の持ち手から立体的に突出して起立した状態になっている。
その後に、手荷物の持ち手に巻き付けられたバンド本体１３から切断用ミシン目１２を介して切離し片１４を切り離して、引換券として利用者に手渡す（図６（４））。
【００３０】
このように情報表示バンド１０によれば、引換券となる切離し片１４を、バンド本体１３から切り離す際に、切離し片１４の第１の情報表示部２２および第２の情報表示部２３の裏面側に設けられる自着接着剤層１６どうしを貼り合わせてから、切断用ミシン目１２で切り離すので、その作業をより簡便に行うことができる。
また、情報表示バンド１０は、先に２つ折りした切離し片１４を目安にして、バンド本体１３の両端部の自着接着剤層１６どうしを互いに貼り合わせるので、バンド本体１３の被巻付け部Ｗへの巻き付け作業が容易になる。
また、情報表示バンド１０は、切離し片１４を折り目線２１で折り返し、その裏面側の自着接着剤層１６どうしを貼り合わせるので、多少のべた付きがある自着接着剤層１６を剥き出し状態にすることなく、切離し片１４を保管する際、その取り扱いが簡便になる。
さらに、情報表示バンド１０は、切離し片１４に２つ折り可能な折り目線２１を形成し、この折り目線第１の情報表示部２２と第２の情報表示部２３との境界で折り返して自着接着剤層１６どうしを貼り合わせ、切離し片１４自体に厚みを持たせることができるので、切離し片１４を引換券として保管する際に折れ曲がりにくく、かつ、損傷しにくいという効果が生じる。すなわち、切離し片１４を２つ折りにして補強することで、切離し片１４の腰が強くなり強度を高めることができる。
さらに、情報表示バンド１０は、バンド本体１３の自着接着剤層１６どうしを接着した部分に破断用切込み１９を複数設け、無理に剥がすと破断用切込み１９がきっかけとなってバンド本体１３が破断するので、貼替えや再利用などの不正行為を防止できる。
さらに、情報表示バンド１０は、切離し片１４の第１の情報表示部２２または第２の情報表示部２３に抽選や割引などに関する付加価値情報２４が印字されているので、クーポン券として利用可能であり、利用者に付加価値を提供することができ、サービスの質の向上を図れる。例えば、ホテルのクロークで使用される手荷物用バンドの場合、そのホテル内のレストランやバーにおいて飲食の割引サービスを受けられるなどの付加価値情報２４が、切離し片１４の第１の情報表示部２２および第２の情報表示部２３のどちらか一方に印字することによって、手荷物を保管する側にとっても、集客の向上が期待できる。
【００３１】
（第２の実施例）
図７は、本発明の第２の実施例による情報表示バンド４０の断面図であって、情報表示バンド４０においては、バンド本体１３の裏面側における中央領域において、たとえば紫外線硬化型ニスなどを塗工することにより、接着剤不活性剤層（非接着性領域）２６を形成している。
この接着剤不活性剤層２６を自着接着剤層１６に積層することにより、自着接着剤層１６による一対の両端部側貼付け領域１６Ａを残して非接着性領域２６を形成することができる。
【００３２】
特に、情報表示バンド１０の裏面側において手荷物の持ち手などの被巻付け部Ｗに接触する領域には、接着剤不活性剤層（非接着性領域）２６が位置することになるので、手荷物の持ち手などの被巻付け部Ｗに自着接着剤層１６が直接触れることがない。
【００３３】
情報表示バンド１０の長尺方向におけるこの接着剤不活性剤層２６の長さは、手荷物の持ち手などの被巻付け部Ｗのまわりに巻き付け可能な長さであるとともに、両端部側貼付け領域１６Ａの長さは、情報表示バンド１０を手荷物の持ち手に巻き付けた際に十分な貼付け強度を確保できる。
【００３４】
また、接着剤不活性剤層２６に用いる紫外線硬化型ニスに着色を施すことにより、バンド本体１３の一端部および他端部の裏面側どうしを貼り合わせる際、自着接着剤層１６および非接着性領域２６をそれぞれ視認し易くすることができる。
情報表示バンド４０における他の構成は、第１の実施例による情報表示バンド１０と同一である。
【００３５】
こうした構成の情報表示バンド４０においても、既述の情報表示バンド１０と同様に、バンド本体１３および切離し片１４に識別情報１７を表示するとともに、バンド本体１３における左右一対の両端部側の自着接着剤層１６（両端部側貼付け領域１６Ａ）を互いに合わせて接触加圧することにより、図６と同様に、簡単にバンド本体１３を手荷物の持ち手などの被巻付け部Ｗにループ状に巻き付けることができる。
【００３６】
（第３の実施例）
図８は、本発明の第３の実施例による情報表示バンド５０の断面図である。
この情報表示バンド５０は、バンド基材１１の裏面側においてその左右両端部側にのみ自着接着剤層１６による両端部側貼付け領域１６Ａを間欠的に自着接着剤を塗布することにより、すなわち、被巻付け部Ｗが接触する領域である中央部分には自着接着剤層１６を設けないことにより、非接着性領域１６Ａを形成している。
情報表示バンド５０における他の構成は、第１の実施例による情報表示バンド１０および第２の実施例による情報表示バンド４０と同一である。また、効果においては、第２の実施例と同一である。
【００３７】
（第４の実施例）
図９は、本発明の第４の実施例による情報表示バンド６０の表面側から見た平面図である。
情報表示バンド６０は、切離し片１４の第２の情報表示部２３のみを短辺方向に突出させて形成してもよい。もちろん、第２の情報表示部２３と第１の情報表示部２２とを入れ替えて突出させることもできる。
情報表示バンド６０における他の構成は、第１の実施例による情報表示バンド１０および第２の実施例による情報表示バンド４０および第３の実施例による情報表示バンド５０と同一である。
【００３８】
こうした構成により情報表示バンド６０は、切離し片１４を視認し易くなるので、第１の情報表示部２２および第２の情報表示部２３の裏面側の自着粘着剤層１６どうしを互いに貼り合わせて一体化する作業が簡単かつ確実に行うことができる。
【００３９】
本実施例の情報表示バンド１０、４０、５０、６０は、手荷物用バンドとして使用する場合について例示したが、特に限定されるものではなく、リストバンドにも応用可能である。リストバンドとして応用する場合、例えば、スキー場でのリフト券や、各種コンサート会場やイベントなどの入場券や参加証、遊園地などの各種施設の入場券およびこれら施設内での施設使用券などとして使用することができる。また、近年では、街ぐるみや地域ぐるみで行われるいわゆる「街コン」のような大型イベントなどにも使用することができる。
リストバンドである情報表示バンド１０、４０、５０、６０のバンド本体１３および切離し片１４に同一の識別情報１７をそれぞれ表示して、バンド本体１３は、手首や足首などの被巻付け部Ｗに巻き付けて、利用者や入場者を識別管理するために使用し、切離し片１４は、識別情報１７以外に付加価値情報２４を表示して、バンド本体１３から切り離した後に、割引などのクーポン券、キャンペーンなどの抽選券または応募券として使用することができる。
【００４０】
なお、本発明が上記実施の形態に限定されず、本発明の技術思想の範囲内において、実施の形態は適宜変更可能である。
また、上記構成部材の数、位置、形状などは上記実施の形態に限定されず、本発明を実施する上で好適な数、位置、形状などにすることができる。
【符号の説明】
【００４１】
１０、４０、５０、６０      情報表示バンド
１１      バンド基材
１２      切断用ミシン目
１３      バンド本体
１４      切離し片
１５      感熱発色剤層
１６      自着接着剤層
１６Ａ    バンド本体１３における自着接着剤層１６の両端部側貼付け領域
１７      識別情報
１８      固定情報
１９      破断用切込み
２１      折り目線
２２      第１の情報表示部
２３      第２の情報表示部
２４      付加価値情報
２５      巻芯
２６      接着剤不活性剤層（非接着性領域）
３０      情報表示バンド連続体
３１      各情報表示バンド１０間に形成する切断用ミシン目
１１０      情報表示バンド（従来、図９）
１１１      バンド基材
１１２      切断用ミシン目
１１３      バンド本体
１１４      切離し片
１１６      自着接着剤層
１１７      識別情報
Ｗ      被巻付け部
【図１】
2015001606.tif 000003
【図２】
2015001606.tif 000004
【図３】
2015001606.tif 000005
【図４】
2015001606.tif 000006
【図５】
2015001606.tif 000007
【図６】
2015001606.tif 000008
【図７】
2015001606.tif 000009
【図８】
2015001606.tif 000010
【図９】
2015001606.tif 000011
【図１０】
2015001606.tif 000012
【図１１】
2015001606.tif 000013